(57)【要約】  【課題】圧縮機に電圧を供給する直流電源に備えられた平滑コンデンサの容量を増加させることなく、瞬時電圧低下発生時に圧縮機の運転を可能な限り継続する。  【解決手段】交流電源２が入力される整流器８と平滑コンデンサ９を備えた直流電源１８と、整流器８が出力する直流電圧が入力されるインバータ１４と、インバータ１４で駆動される圧縮機１５と、インバータ１４を制御するインバータ制御部１６と、交流電源２の入力電圧を検出してＡＣ電圧値を出力するＡＣ電圧検出部５と、圧縮機１５の回転数をインバータ制御部１６へ指示する回転数指令値を出力する制御部１７と、ＡＣ電圧が予め定められた電圧値である瞬低閾値以下に低下した時、圧縮機１５の回転数を低下させる回転数指令値を出力する瞬時電圧低下処理手段２０を備えた。【選択図】図１
2018119701.tif 000002
【特許請求の範囲】
【請求項１】
交流電源が入力される整流器と平滑コンデンサを備えた直流電源と、
前記整流器が出力する直流電圧が入力されるインバータと、
前記インバータで駆動される圧縮機と、
前記インバータを制御するインバータ制御部と、
前記交流電源の入力電圧を検出してＡＣ電圧値を出力するＡＣ電圧検出部と、
前記圧縮機の回転数を前記インバータ制御部へ指示する回転数指令値を出力する制御部と、
前記ＡＣ電圧が予め定められた電圧値である瞬低閾値以下に低下した時、前記圧縮機の回転数を低下させる前記回転数指令値を出力する瞬時電圧低下処理手段とを備えたことを特徴とする空気調和機。
【請求項２】
前記空気調和機は、前記直流電圧を用いて動作する負荷装置をさらに備え、
前記瞬時電圧低下処理手段は、前記ＡＣ電圧が前記瞬低閾値以下に低下した時、前記負荷装置の動作を停止させることを特徴とする請求項１記載の空気調和機。
【発明の詳細な説明】
【技術分野】
【０００１】
本発明は、空気調和機に係わり、より詳細には、瞬時電圧低下が発生した時に可能な限り運転を継続する制御方法に関する。
【背景技術】
【０００２】
従来、空気調和機は圧縮機を運転中に瞬時電圧低下が発生してもできるだけ運転を中断しないように、圧縮機に供給する直流電源に備えられた平滑コンデンサの容量が決定されている。この圧縮機は空気調和機の他の部分に比較して大電流を消費するため大容量のコンデンサが必要であるが、コストを考えた場合、大容量のコンデンサを採用できないと言う制約がある。
【０００３】
このため、この平滑コンデンサの容量は、１０〜２０ミリセカンド程度の瞬時電圧低下でも運転を中断しない程度の容量に抑えられている。瞬時電圧低下により圧縮機の運転が一時中断されると、空気調和機内の冷媒圧力が均衡するまで３分程度の運転再開の待ち時間が発生する。この間に室温が変化してユーザーの快適性に影響がでるため、瞬時電圧低下が発生したとしても可能な限り運転を継続できることが望ましい。
【０００４】
このような瞬時電圧低下が発生した時の空気調和機の運転継続の対処方法として特許文献１に開示された技術がある。
この文献には瞬時電圧低下により発生した欠相の時間を測定し、この欠相時間の経過と共にヒーター、ファンモータ、圧縮機を順次停止させることが記載されている。つまり、瞬時電圧低下の期間が長くなるに従って負荷となる回路を順次遮断することにより、前述した瞬時電圧低下の発生期間に可能な限り運転を継続させるようになっている。
【０００５】
しかしながら、この文献の方法では、瞬時電圧低下の検出方法として欠相の時間を測定しているため、例えば５０ヘルツの交流電源で動作する空気調和機の場合、瞬時電圧低下の検出に少なくても交流電源の１周期、つまり２０ミリセカンドが必要であり、さらに、瞬時電圧低下の検出からヒーターやファンモータの電源をリレーで切断する場合に、リレーの機械的な遅延時間が発生するため、さらに、１０〜２０ミリセカンド程度の時間が経過した後、実際に負荷を減少させることになる。つまり、瞬時電圧低下の発生から負荷が減少するまで３０〜４０ミリセカンドが必要であり、前述したように、少なくともこの時間だけ空気調和機の運転を維持するためには容量の大きな（高価な）平滑コンデンサが必要であった。
【０００６】
一方、瞬時電圧低下の検出方法として前述のように欠相の時間が所定時間経過した場合や、平滑コンデンサの電圧が所定電圧以下になった場合を検出する方法がある。このような方法による判断の閾値はマージンを持たせた最悪の条件で決定されている。
例えば、平滑コンデンサが経年劣化で容量が減少し、かつ、最大負荷で、かつ、交流電圧が空気調和機の動作電圧範囲の下限値の時における瞬時電圧低下の発生時間である所定時間だけ空調運転が可能な平滑コンデンサの容量が決定されている。
【０００７】
しかしながら、実際の空調運転中に発生する瞬時電圧低下は、必ずしも最悪の条件で発生するするものでなく、交流電圧が動作電圧範囲の上限値であったり、空調運転としての負荷が軽い場合があり、このような場合は運転継続に余裕があっても最悪の条件で決定した閾値を用いて空調運転停止の判断をする場合があった。つまり、実際には瞬時電圧低下発生直前の交流電圧や負荷の大きさにより、平滑コンデンサに蓄えられた電荷で空調運転できる時間が変化するするにも関わらず一定の条件で運転停止となるため、空調運転が継続可能であっても運転を停止させる場合があった。
【先行技術文献】
【特許文献】
【０００８】
【特許文献１】特開平９−２２２２５６号公報（第３−４頁、図１）
【発明の概要】
【発明が解決しようとする課題】
【０００９】
本発明は以上述べた問題点を解決し、圧縮機に電圧を供給する直流電源に備えられた平滑コンデンサの容量を増加させることなく、瞬時電圧低下発生時に圧縮機の運転をできるだけ継続可能な空気調和機を提供することを目的とする。
【課題を解決するための手段】
【００１０】
本発明は上述の課題を解決するため、本発明の請求項１に記載の発明は、
交流電源が入力される整流器と平滑コンデンサを備えた直流電源と、
前記整流器が出力する直流電圧が入力されるインバータと、
前記インバータで駆動される圧縮機と、
前記インバータを制御するインバータ制御部と、
前記交流電源の入力電圧を検出してＡＣ電圧値を出力するＡＣ電圧検出部と、
前記圧縮機の回転数を前記インバータ制御部へ指示する回転数指令値を出力する制御部と、
前記ＡＣ電圧が予め定められた電圧値である瞬低閾値以下に低下した時、前記圧縮機の回転数を低下させる前記回転数指令値を出力する瞬時電圧低下処理手段とを備えたことを特徴とする。
【００１１】
また、本発明の請求項２に記載の発明は、
前記空気調和機は、前記直流電圧を用いて動作する負荷装置をさらに備え、
前記瞬時電圧低下処理手段は、前記ＡＣ電圧が前記瞬低閾値以下に低下した時、前記負荷装置の動作を停止させることを特徴とする。
【発明の効果】
【００１２】
以上の手段を用いることにより、本発明による空気調和機によれば、圧縮機に電圧を供給する直流電源に備えられた平滑コンデンサの容量を増加させることなく、瞬時電圧低下発生時に圧縮機の運転を可能な限り継続することができる。
【図面の簡単な説明】
【００１３】
【図１】本発明による空気調和機の実施例を示す室外機のブロック図である。
【図２】瞬時電圧低下処理部を示すブロック図である。
【図３】本発明による室外機の動作を説明する説明図である。（運転停止なし）
【図４】本発明による室外機の動作を説明する他の説明図である。（過電流による運転停止）
【図５】本発明による室外機の動作を説明する別の説明図である。（低電圧による運転停止）
【発明を実施するための形態】
【００１４】
以下、本発明の実施の形態を、添付図面に基づいた実施例として詳細に説明する。
【実施例１】
【００１５】
室外機１は交流電源２の非接地側の電源線が接続されるＬ端子３と、交流電源２の接地側の電源線が接続されるＮ端子４と、リレー６と、リアクタ７と、整流器８と、平滑コンデンサ９と、インバータ１４と、インバータ１４で駆動される圧縮機１５と、ＡＣ電圧検出部５と、ＤＣ電圧検出部１２と負荷電流検出部１３と、ファンモータ１１と、ファンモータ１１を駆動するファンモータ駆動部１０を備えている。
【００１６】
そして室外機１は、Ｌ端子３と整流器８の一方の入力の間にリレー６とリアクタ７が直列に接続され、Ｎ端子４と整流器８の他方の入力が接続されている。また、整流器８の正極がインバータ１４の正極の入力に接続され、整流器８の負極とインバータ１４の負極の入力との間に直列に負荷電流検出部１３が接続されている。
【００１７】
また、Ｌ端子３とＮ端子４の間には交流電源２の瞬時電圧を測定し、実効値に換算して出力するＡＣ電圧検出部５が、また、整流器８の正極と負極の間には、平滑コンデンサ９とファンモータ駆動部１０とＤＣ電圧検出部１２がそれぞれ接続されている。なお、負荷電流検出部１３は検出した負荷電流を負荷電流値として、ＡＣ電圧検出部５は検出した電圧をＡＣ電圧値（実効値）として、ＤＣ電圧検出部１２は検出した電圧をＤＣ電圧値としてそれぞれ出力している。なお、整流器８と平滑コンデンサ９で直流電源１８を構成している。
【００１８】
また、室外機１はインバータ１４を制御するインバータ制御部１６と、瞬時電圧低下処理部（瞬時電圧低下処理手段）２０と、室外機１全体を制御する制御部１７を備えている。制御部１７は瞬時電圧低下処理部２０に、リレー６を制御するリレー指令信号とファンモータ駆動部１０を制御するファンモータ指令信号と、圧縮機１５の回転数を指示する回転数指令値を出力している。
【００１９】
そして瞬時電圧低下処理部２０は、リレー６と制御部１７へリレー制御信号を、ファンモータ駆動部１０へファンモータ制御信号を、インバータ制御部１６へ回転数指示値をそれぞれ出力している。一方、瞬時電圧低下処理部２０と制御部１７は、ＡＣ電圧値とＤＣ電圧値と負荷電流値がそれぞれ入力されている。なお、瞬時電圧低下処理部２０は瞬時電圧低下が未発生の場合、制御部１７から入力された各制御信号をそのまま出力し、瞬時電圧低下が発生した場合、後で詳細に説明する瞬時電圧低下に対応した各制御信号を出力する。
【００２０】
次に図２のて瞬時電圧低下処理部２０のブロック図を用いて瞬時電圧低下処理部２０の構成を説明する。
瞬時電圧低下処理部２０は、一方の入力端にリレー指令信号が入力されるアンド回路３０と、一方の入力端にファンモータ指令信号が入力されるアンド回路３１と、ＡＣ電圧値が入力される瞬低発生検出部２１と、ＤＣ電圧値が入力される直流電圧低下検出部２２と、負荷電流値が入力される過電流検出部２３と、入力された回転数指令値が記憶される回転数指令値記憶部２５と、最小回転数値記憶部２４と、回転数指令値切替部２６と、オア回路２７と、ノット回路２８と、ノット回路２９を備えている。
【００２１】
瞬低発生検出部２１の出力端子はノット回路２９の入力端子と回転数指令値切替部２６の選択端子と過電流検出部２３の許可端子と直流電圧低下検出部２２の許可端子にそれぞれ接続されており、瞬低発生検出部２１はこれらの端子に瞬低検出信号を出力する。ノット回路２９は入力された瞬低検出信号を反転してアンド回路３１の他方の入力端に出力し、アンド回路３１はファンモータ制御信号を出力している。なお、過電流検出部２３と直流電圧低下検出部２２のそれぞれの許可端子にハイレベルの瞬低検出信号が入力されると各部は動作を開始する。また、各許可端子にローレベルの瞬低検出信号が入力されると各部は動作を停止し、それぞれの出力端子からローレベルの信号が出力される。
【００２２】
直流電圧低下検出部２２はオア回路２７の一方の入力端に直流電圧低下信号を出力し、過電流検出部２３はオア回路２７の他方の入力端に過電流検出信号を出力し、オア回路２７はノット回路２８へリレー開放信号を出力し、ノット回路２８は入力されたリレー開放信号を反転してアンド回路３０の他方の入力端へ出力している。そしてアンド回路３０はリレー制御信号を出力している。
【００２３】
一方、最小回転数値記憶部２４は圧縮機１５で運転可能な最小回転数値を記憶し、また、回転数指令値記憶部２５は圧縮機１５の回転数指令値を記憶し、各部はそれぞれの記憶値を回転数指令値切替部２６へ出力し、回転数指令値切替部２６は入力されたいずれかの値を瞬低検出信号によって選択し、選択された値を回転数指令値として出力する。
【００２４】
次に瞬時電圧低下処理部２０の動作について説明する。室外機１が空調運転中の場合はリレー指令信号とファンモータ指令信号が共にハイレベル（リレー６が閉、ファンモータ１１が回転）となっている。一方、瞬低発生検出部２１は入力されるＡＣ電圧値（実効値）が予め定めた瞬低閾値（１８４Ｖ）を超えている場合、瞬低検出信号をローレベル（瞬時電圧低下が未発生）で出力するためアンド回路３１はファンモータ制御信号をハイレベルで出力する。
【００２５】
一方、直流電圧低下検出部２２は瞬低検出信号がローレベルで入力されているため直流電圧低下検出機能を停止している。このため、直流電圧低下信号をローレベル（直流電圧低下未発生）にして出力する。また、過電流検出部２３は瞬低検出信号がローレベルで入力されているため過電流検出機能を停止している。このため、過電流検出部２３は過電流検出信号をローレベル（過電流未発生）で出力する。オア回路２７は入力された直流電圧低下信号と過電流検出信号が共にローレベルであるため、リレー開放信号をローレベルで出力する。このリレー開放信号が入力されたノット回路２８はハイレベルの信号をアンド回路３０の他方の入力端へ出力し、この結果、アンド回路３０はハイレベル（リレー６を閉）のリレー制御信号を出力する。
【００２６】
また、瞬低検出信号がローレベルであるため、回転数指令値切替部２６は入力されている最小回転数値と回転数指令値のうち回転数指令値を選択して回転数指示値として出力する。
以上説明したように、瞬時電圧低下が未発生の場合、制御部１７が出力するリレー指令信号とファンモータ指令信号と回転数指令値が入力された瞬時電圧低下処理部２０は、これらと対応してリレー制御信号とファンモータ制御信号と回転数指示値を出力する。このため、制御部１７は自身が指示した通りにリレー６とファンモータ１１とインバータ１４を制御する。
【００２７】
一方、瞬低発生検出部２１は入力されるＡＣ電圧値が瞬低閾値以下になった場合、瞬低検出信号をハイレベル（瞬時電圧低下が発生）で出力するためアンド回路３１はファンモータ制御信号をローレベルで出力する。この結果、ファンモータ１１の回転が停止する。同時に回転数指令値切替部２６は瞬低検出信号がローレベルからハイレベルになったため、出力する回転数指示値を入力された回転数指令値から最小回転数値に切り替えて出力する。このため、圧縮機１５の回転数が最小回転数値に向かって徐々に低下する。
【００２８】
また、瞬時電圧低下が発生した時点から時間が経過するに従って平滑コンデンサ９の両端電圧（ＤＣ電圧値）も低下する。このため、インバータ制御部１６は圧縮機１５の回転数を維持しようとして、徐々にインバータ１４内の図示しないスイッチング素子のオン時間を長くするため負荷電流が増加する。
【００２９】
そして、さらに瞬時電圧低下の発生期間が長くなると、過電流検出部２３は負荷電流値が負荷電流閾値以上になった時に過電流検出信号をローレベルからハイレベル（過電流発生）にする。もしくは、直流電圧低下検出部２２はＤＣ電圧値が予め定めた電源断閾値（２２０ボルト）以下になった時に直流電圧低下信号をローレベルからハイレベル（直流電圧低下発生）にする。
【００３０】
オア回路２７は過電流検出信号、又は直流電圧低下信号のいずれかがハイレベルとなった時、リレー開放信号をローレベルからハイレベル（リレー６を開放）にする。このためノット回路２８の出力がローレベルになるため、アンド回路３０はリレー制御信号をハイレベルからローレベルにしてリレー６の接点を開（回路の切断）にする。このため室外機１は空調運転を停止する。
【００３１】
次に図３を用いて瞬時電圧低下が発生しても運転を継続するための制御を説明する。図３の横軸は時間である。図３の縦軸において、図３（１）はＡＣ電圧（実効値）を、図３（２）はＤＣ電圧を、図３（３）は負荷電流を、図３（４）はリレー指令信号を、図３（５）はファンモータ指令信号を、図３（６）は回転数指令値を、図３（７）は過電流検出信号を、図３（８）は直流電圧低下信号を、図３（９）は圧縮機１５の回転数を、図３（１０）は瞬低検出信号を、図３（１１）は回転数指示値を、図３（１２）はリレー制御信号を、図３（１３）はファンモータ制御信号をそれぞれ示している。なお、ｔ０〜ｔ１１は時刻である。
【００３２】
図３において、ｔ０では室外機１は空調運転を停止状態であるため、制御部１７はリレー指令信号とファンモータ指令信号をローレベルにして出力し、また、回転数指令値も０ｒｐｍで出力している。また、瞬低発生検出部２１はＡＣ電圧値が２３０ボルトであるためｔ０で瞬低検出信号をローレベル（瞬時電圧低下未発生）にして出力している。
なお、ｔ０においてＤＣ電圧値が電源断閾値（２２０ボルト）以下の０ボルトであるが、直流電圧低下検出部２２は入力された瞬低検出信号がローレベルであるため機能を停止しており、直流電圧低下検出部２２はｔ０で直流電圧低下信号をローレベルにして出力している。
【００３３】
制御部１７は空調運転を開始するため、ｔ１でリレー指令信号をハイレベル（閉）にする。次に制御部１７はファンモータ１１を回転させるため、ｔ２でファンモータ指令信号をハイレベル（オン）にする。同時に圧縮機１５を回転させるため、回転数指令値として２０００ｒｐｍを出力する。このため、インバータ制御部１６は圧縮機１５の回転数を徐々に増加させるように駆動し、ｔ３で指示された回転数に達した後、この回転数を維持するように制御する。なお、圧縮機１５の回転数増加に対応して負荷電流も徐々に増加し、ｔ３で１０アンペアに達している。
【００３４】
なお、ｔ３の時点でＡＣ電圧は２３０ボルト（定格電圧）であり、ＤＣ電圧は３２０ボルトとなっているが、その後ＡＣ電圧の瞬時電圧低下が発生し、ＡＣ電圧がｔ４で瞬低閾値（１８４ボルト）以下に低下している。このため瞬低発生検出部２１が瞬低検出信号をローレベルからハイレベル（瞬時電圧低下発生中）にして出力する。このため、アンド回路３１はファンモータ制御信号をハイレベルからローレベル（ファンモータ１１の停止）にして出力し、この結果、ファンモータ１１は停止する。
【００３５】
この瞬低検出信号が入力された過電流検出部２３は負荷電流値の監視を開始し、回転数指令値切替部２６は入力されている回転数指令値（２０００ｒｐｍ）に代えて最小回転数値（２００ｒｐｍ）を回転数指示値としてインバータ制御部１６へ出力する。この結果、ｔ４以降、インバータ制御部１６は２０００ｒｐｍで維持していた圧縮機１５の回転数を２００ｒｐｍにするため徐々に回転数を低下させる。
【００３６】
一方、ｔ４でＡＣ電圧が低下したためＤＣ電圧も徐々に低下し、ＡＣ電圧が瞬時電圧低下の下限ピークである１５０ボルトまで低下した時、ＤＣ電圧もｔ５で２３０ボルトまで低下している。また、インバータ制御部１６は、ｔ４で圧縮機１５の回転を２０００ｒｐｍ、負荷電流を１０アンペアで維持できていたが、ＤＣ電圧が徐々に低下したため、これに対応して負荷電流が徐々に増加している。この結果、ｔ５で負荷電流が１４アンペアまで増加するが、ＤＣ電圧の低下もｔ５時点ではほぼ下げ止まっている。このため、インバータ制御部１６は、圧縮機１５の回転数低下に対応して圧縮機１５への印加電圧を低下させる指示をインバータ１４へ出力し、ｔ５以降、負荷電流は徐々に減少する。
【００３７】
ｔ５以降、ＡＣ電圧が徐々に上昇してｔ７で瞬低閾値を超えると、瞬低発生検出部２１は、瞬低検出信号をハイレベルからローレベルにして出力する。インバータ制御部１６はｔ７で圧縮機１５の回転数を１０００ｒｐｍまで低下させているが、ローレベルの瞬低検出信号が入力された回転数指令値切替部２６が最小回転数値に代えて回転数指令値記憶部２５に記憶していた回転数指令値（２０００ｒｐｍ）を回転数指示値として出力するため、ｔ７以降、インバータ制御部１６は指示された２０００ｒｐｍとなるように圧縮機１５の回転数を上昇させるように制御する。
【００３８】
一方、ｔ７において瞬低検出信号がローレベルになるため、アンド回路３１はファンモータ制御信号をローレベルからハイレベルにして出力するため、ファンモータ１１の運転が再開される。インバータ制御部１６は圧縮機１５の回転数を指示された２０００ｒｐｍまで上昇させ、ｔ１１以降、この回転を維持するように制御する。なお、ｔ１１ではＡＣ電圧やＤＣ電圧が瞬時電圧低下が発生する以前の電圧まで復帰している。
このように、室外機１は瞬時電圧低下が発生した場合でも、ファンモータ１１を一時的に停止させたり、圧縮機１５の回転数を低下させたりすることで平滑コンデンサ９に蓄積された電荷の消費を抑制し、この結果、空調運転を停止することなく継続することができる。
【００３９】
次に図４を用いて圧縮機１５の回転数が比較的高い場合、つまり、負荷が重い場合の瞬時電圧低下処理部２０の動作を説明する。
【００４０】
図４の横軸は時間である。図４の縦軸において、図４（１）はＡＣ電圧（実効値）を、図４（２）はＤＣ電圧を、図４（３）は負荷電流を、図４（４）はリレー指令信号を、図４（５）はファンモータ指令信号を、図４（６）は回転数指令値を、図４（７）は過電流検出信号を、図４（８）は直流電圧低下信号を、図４（９）は圧縮機１５の回転数を、図４（１０）は瞬低検出信号を、図４（１１）は回転数指示値を、図４（１２）はリレー制御信号を、図４（１３）はファンモータ制御信号をそれぞれ示している。なお、ｔ２０〜ｔ３０は時刻である。
【００４１】
図４においてリレー６を閉とすることによる電源投入と圧縮機１５の運転開始までは図３の場合と同じであるため図３におけるｔ０〜ｔ２までと対応する図４のｔ２０〜ｔ２２までの説明を省略する。ただし、ｔ２２において制御部１７は回転数指令値を図３の場合の２０００ｒｐｍでなく２５００ｒｐｍとしている。このためインバータ制御部１６は圧縮機１５を２５００ｒｐｍまで上昇させ、ｔ２３以降にこの回転数を維持する制御を行なっている。
【００４２】
その後、瞬時電圧低下が発生してｔ２４でＡＣ電圧が瞬低閾値（１８４ボルト）以下になると、瞬低発生検出部２１が瞬低検出信号をローレベルからハイレベル（瞬時電圧低下発生中）にして出力する。このため、アンド回路３１はファンモータ制御信号をハイレベルからローレベルにして出力し、この結果、ファンモータ１１は停止する。
【００４３】
この瞬低検出信号が入力された過電流検出部２３は負荷電流値の監視を開始する。また、回転数指令値切替部２６は入力されている回転数指令値（２５００ｒｐｍ）に代えて最小回転数値（２００ｒｐｍ）を回転数指示値としてインバータ制御部１６へ出力する。この結果、ｔ２４以降、インバータ制御部１６は２５００ｒｐｍで維持していた圧縮機１５の回転数を２００ｒｐｍにするため徐々に回転数を低下させる。
【００４４】
一方、ｔ２４以降もＡＣ電圧が低下をし続け、ｔ２５で１５０ボルト程度まで低下している。これに対応してｔ２４以降、ＤＣ電圧も徐々に低下してｔ２５で２３０ボルトまで低下している。また、インバータ制御部１６は、ｔ２４で圧縮機１５の回転を２５００ｒｐｍ、負荷電流を１２アンペアで維持できていたが、これ以降、ＤＣ電圧が徐々に低下したため、これに対応して回転数を維持する制御を行なうため負荷電流が徐々に増加している。
【００４５】
この結果、ｔ２５で負荷電流が過電流閾値（１５アンペア）以上まで増加する。この結果、過電流検出部２３は過電流検出信号をローレベルからハイレベル（過電流発生）にして出力する。このため、オア回路２７はリレー開放信号をローレベルからハイレベル（リレー６を開）にして出力するため、アンド回路３０はリレー制御信号をローレベルにして出力し、ｔ２５でリレー６は開となる。
【００４６】
このため、ｔ２５で２０００ｒｐｍまで低下していた圧縮機１５の回転数は慣性による回転を継続した後、ｔ２６で回転を停止する。一方、制御部１７はリレー制御信号を監視しているため、自身が指示した閉を指示するリレー指令信号と入力されたリレー制御信号が異なる場合は瞬時電圧低下処理部２０がリレー６を開にしたと判断し、圧縮機１５の再起動に備えてリレー指令信号とファンモータ指令信号をローレベルに、また、回転数指令値を０ｒｐｍにしてそれぞれ出力する。
【００４７】
なお、ｔ２５でリレー６が開となって負荷が急激に減少するため、平滑コンデンサ９の両端電圧は一旦上昇し、その後、徐々に低下してｔ３０で０ボルトになる。また、ｔ２７でＤＣ電圧値が電源断閾値（２２０ボルト）以下になるため、直流電圧低下検出部２２は直流電圧低下信号をｔ２７でローレベルからハイレベル（直流電圧低下発生）にして出力する。
【００４８】
そして、ｔ２５以降、ＡＣ電圧が徐々に上昇してｔ２８で瞬低閾値を超えると、瞬低発生検出部２１は、瞬低検出信号をハイレベルからローレベルにして出力する。このため、回転数指令値切替部２６は回転数指令値を最小回転数値（２００ｒｐｍ）から、記憶していた回転数指令値（０ｒｐｍ）に切り替えて出力する。また、ｔ２８でローレベルの瞬低検出信号が入力された直流電圧低下検出部２２は検出動作が禁止となるため、直流電圧低下信号をハイレベルからローレベルにして出力する。
【００４９】
以上説明したように、図３で説明した瞬時電圧低下の発生期間や低下電圧が同じであっても、図４のように圧縮機１５の負荷が重い場合は空調運転を継続できない。しかしながら、インバータ１４の部品が破壊される以前に過電流保護として運転を停止させることができる。つまり、瞬時電圧低下が発生した場合であっても、負荷が重い場合は部品を破壊しない範囲で可能な限り空調運転を継続でき、逆に負荷が軽い場合は運転を停止することなく空調運転を継続できる。
【００５０】
次に図５を用いて負荷が軽い場合であっても瞬時電圧低下における低下電圧が図３の場合よりも大きい場合を説明する。なお、空調運転の開始動作は図３の場合と同じであるため、説明を省略する。
【００５１】
図５の横軸は時間である。図５の縦軸において、図５（１）はＡＣ電圧（実効値）を、図５（２）はＤＣ電圧を、図５（３）は負荷電流を、図５（４）はリレー指令信号を、図５（５）はファンモータ指令信号を、図５（６）は回転数指令値を、図５（７）は過電流検出信号を、図５（８）は直流電圧低下信号を、図５（９）は圧縮機１５の回転数を、図５（１０）は瞬低検出信号を、図５（１１）は回転数指示値を、図５（１２）はリレー制御信号を、図５（１３）はファンモータ制御信号をそれぞれ示している。なお、ｔ４０〜ｔ４９は時刻である。
【００５２】
図５においてリレー６を閉とすることによる電源投入と圧縮機１５の運転開始までは図３の場合と同じであるため図３のｔ４と対応する図５のｔ４４までの説明を省略する。
そして、ｔ４４でＡＣ電圧が瞬低閾値（１８４ボルト）以下になると、瞬低発生検出部２１が瞬低検出信号をローレベルからハイレベル（瞬時電圧低下発生中）にして出力する。このため、アンド回路３１はファンモータ制御信号をハイレベルからローレベルにして出力し、この結果、ファンモータ１１は停止する。
【００５３】
この瞬低検出信号が入力された過電流検出部２３は負荷電流値の監視を開始する。また、回転数指令値切替部２６は入力されている回転数指令値（２０００ｒｐｍ）に代えて最小回転数値（２００ｒｐｍ）を回転数指示値としてインバータ制御部１６へ出力する。この結果、インバータ制御部１６は２０００ｒｐｍで維持していた圧縮機１５の回転数を２００ｒｐｍにするためｔ４４以降、徐々に回転数を低下させる。
【００５４】
一方、ｔ４４以降もＡＣ電圧が低下し続け、ｔ４５で１００ボルト程度まで低下している。これに対応してｔ４４以降、ＤＣ電圧も徐々に低下している。また、インバータ制御部１６は、ｔ４４で圧縮機１５の回転を２０００ｒｐｍ、負荷電流を１０アンペアで維持できていたが、ＤＣ電圧が徐々に低下したため、これに対応して負荷電流が徐々に増加している。
【００５５】
ＤＣ電圧がｔ４５で２２０ボルトまで低下したため直流電圧低下検出部２２は直流電圧低下信号をローレベルからハイレベル（直流電圧低下発生）にして出力する。このため、オア回路２７はリレー開放信号をローレベルからハイレベル（リレー６を開）にして出力するため、アンド回路３０はリレー制御信号をローレベルにして出力し、ｔ４５でリレー６は開となる。
【００５６】
このため、ｔ４５で１９００ｒｐｍまで低下していた圧縮機１５の回転数は慣性による回転を継続した後、ｔ４６で回転を停止する。一方、制御部１７はリレー制御信号を監視しているため、自身が指示した閉を指示するリレー指令信号と入力されたリレー制御信号が異なる場合は瞬時電圧低下処理部２０がリレー６を開にしたと判断し、ｔ４５でリレー指令信号とファンモータ指令信号をローレベルに、また、回転数指令値を０ｒｐｍにしてそれぞれ出力する。なお、ｔ４５でリレー６が開となって負荷が急激に減少するため、平滑コンデンサ９の両端電圧は一旦上昇し、その後、徐々に低下してｔ４９で０ボルトになる。
【００５７】
そして、ｔ４５以降、ＡＣ電圧が徐々に上昇してｔ４７で瞬低閾値を超えると、瞬低発生検出部２１は、瞬低検出信号をハイレベルからローレベル（瞬時電圧低下未発生）にして出力する。このため、回転数指令値切替部２６は回転数指令値を最小回転数値（２００ｒｐｍ）から、記憶していた回転数指令値（０ｒｐｍ）に切り替えて出力する。また、ｔ４７でローレベルの瞬低検出信号が入力された直流電圧低下検出部２２は検出動作が禁止となるため、直流電圧低下信号をハイレベルからローレベルにして出力する。
【００５８】
以上説明したように、図３で説明した圧縮機１５の負荷と図５で説明した圧縮機１５の負荷が同じであっても瞬時電圧低下の低下電圧が大きい場合、空調運転を継続できない。しかしながら、インバータ１４の部品が破壊される以前に低電圧保護として運転を停止させることができる。つまり、部品を破壊しない範囲で可能な限り空調運転を継続できる。
【００５９】
図３〜図５を用いて説明したように、瞬時電圧低下の発生に伴って圧縮機１５の回転数を減少させることにより負荷電流を減少させ、この結果、平滑コンデンサ９の電荷の消費を抑制するように室外機１を制御している。このため、圧縮機１５に供給する直流電源１８に備えられた平滑コンデンサ９の容量を増加させることなく、瞬時電圧低下発生時に圧縮機１５の運転を可能な限り継続することができる。
【００６０】
なお、本実施例では直流電圧を用いて動作する負荷装置をファンモータ１１として説明しているが、これに限るものでなく、平滑コンデンサ９の電圧を用いて動作するものであり、かつ、一時的に動作を停止させても室外機１の運転に支障のないものであればどのようなものでもよい。
また、本実施例では瞬時電圧低下処理部２０をハードウェアとして説明しているが、これに限るものでなく、ソフトウェアで実現してもよい。
【符号の説明】
【００６１】
１  室外機
２  交流電源
３  Ｌ端子
４  Ｎ端子
５  ＡＣ電圧検出部
６  リレー
７  リアクタ
８  整流器
９  平滑コンデンサ
１０  ファンモータ駆動部
１１  ファンモータ
１２  ＤＣ電圧検出部
１３  負荷電流検出部
１４  インバータ
１５  圧縮機
１６  インバータ制御部
１７  制御部
１８  直流電源
２０  瞬時電圧低下処理部（瞬時電圧低下処理手段）
２１  瞬低発生検出部
２２  直流電圧低下検出部
２３  過電流検出部
２４  最小回転数値記憶部
２５  回転数指令値記憶部
２６  回転数指令値切替部
２７  オア回路
２８  ノット回路
２９  ノット回路
３０  アンド回路
３１  アンド回路
【図１】
2018119701.tif 000003
【図２】
2018119701.tif 000004
【図３】
2018119701.tif 000005
【図４】
2018119701.tif 000006
【図５】
2018119701.tif 000007